(57)【特許請求の範囲】
【請求項１】
移動局が通信のためにセルラ方式移動無線ネットワークにアクセスする際の、セルの選択方法であって、前記セルラ方式移動無線ネットワークが、異なる無線アクセス手段に対応する異なる型のサービスが利用可能である異なる型のセルを含み、異なる無線アクセス手段は第２世代システムに対応する無線アクセス手段と第３世代システムに対応する無線アクセス手段を有し、
セルラ方式移動無線ネットワークにアクセスするために、前記移動局が第３世代セルを選択するステップと、
所定のセルの型に対応する、こうして選択されたセルにおいてセルラ方式移動無線ネットワークにアクセスするステップと、
前記通信を、サービスの点でより良いセルを構成する他の型のセルに対応する第２世代セルへ転送するか否かを決定するステップとを含む、ことを特徴とするセルの選択方法。
【請求項２】
異なる無線アクセス手段は、ＧＳＭシステム（グローバル移動通信システム）に対応する無線アクセス手段とＵＭＴＳシステム（ユニバーサル移動通信システム）に対応する無線アクセス手段を含む、請求項１に記載の方法。
【請求項３】
セルラ方式移動無線ネットワークにアクセスするために最初に選択されたセルは、ＧＳＭセルであり、続いてＵＭＴＳセルへの転送が実行される、請求項２に記載の方法。
【請求項４】
セルラ方式移動無線ネットワークにアクセスするために最初に選択されたセルは、ＵＭＴＳセルであり、続いてＧＳＭセルへの転送が実行される、請求項２に記載の方法。
【請求項５】
異なる無線アクセス手段に対応する異なる型のサービスが利用可能である異なる型のセルを含み、異なる無線アクセス手段は第２世代システムに対応する無線アクセス手段と第３世代システムに対応する無線アクセス手段を有する、セルラ方式移動無線ネットワークであって、第３世代セルで通信を確立するために移動局が前記セルラ方式移動無線通信ネットワークへのアクセスの際にセルを選択するために、
前記通信のために必要なサービスの型に応じて、サービスの点でより良いセルを構成するセルの型に対応する第２世代セルを決定する手段と、
前記通信を、前記セルラ方式移動無線通信ネットワークへアクセスするために最初に選択されたセルに対応する第３世代セルから、サービスの点でより良いセルを構成する他の型のセルに対応する第２世代セルへ転送すべきか否かを判断する手段とを含む、ことを特徴とするセルラ方式移動無線ネットワーク。
【請求項６】
異なる無線アクセス手段は、ＧＳＭシステム（グローバル移動通信システム）に対応する無線アクセス手段とＵＭＴＳシステム（ユニバーサル移動通信システム）に対応する無線アクセス手段を含む、請求項５に記載のセルラ方式移動無線ネットワーク。
【請求項７】
セルラ方式移動無線ネットワークにアクセスするために最初に選択されたセルは、ＧＳＭセルであり、続いてＵＭＴＳセルへの転送が実行される、請求項６に記載のセルラ方式移動無線ネットワーク。
【請求項８】
セルラ方式移動無線ネットワークにアクセスするために最初に選択されたセルは、ＵＭＴＳセルであり、続いてＧＳＭセルへの転送が実行される、請求項６に記載のセルラ方式移動無線ネットワーク。
【請求項９】
異なる無線アクセス手段に対応する異なる型のサービスが利用可能である異なる型のセルを含み、異なる無線アクセス手段は第２世代システムに対応する無線アクセス手段と第３世代システムに対応する無線アクセス手段を有する、セルラ方式移動無線ネットワークのための移動交換センタであって、第３世代セルで通信を確立するために移動局が前記セルラ方式移動無線通信ネットワークへのアクセスの際にセルを選択するために、
前記通信のために必要なサービスの型に応じて、サービスの点でより良いセルを構成するセルの型に対応する第２世代セルを決定する手段を含む、ことを特徴とする、移動交換センタ。
【請求項１０】
異なる無線アクセス手段は、ＧＳＭシステム（グローバル移動通信システム）に対応する無線アクセス手段とＵＭＴＳシステム（ユニバーサル移動通信システム）に対応する無線アクセス手段を含む、請求項９記載の移動交換センタ。
【請求項１１】
異なる無線アクセス手段に対応する異なる型のサービスが利用可能である異なる型のセルを含み、異なる無線アクセス手段は第２世代システムに対応する無線アクセス手段と第３世代システムに対応する無線アクセス手段を有する、セルラ方式移動無線ネットワークのための基地局コントローラであって、第３世代セルで通信を確立するために移動局が前記セルラ方式移動無線通信ネットワークへのアクセスの際にセルを選択するために、
前記通信を、前記セルラ方式移動無線通信ネットワークへアクセスするために最初に選択された第３世代セルから、サービスの点でより良いセルを構成する他の型のセルに対応する第２世代セルへ転送すべきか否かを判断する手段を含む、ことを特徴とする、基地局コントローラ。
【請求項１２】
異なる無線アクセス手段は、ＧＳＭシステム（グローバル移動通信システム）に対応する無線アクセス手段とＵＭＴＳシステム（ユニバーサル移動通信システム）に対応する無線アクセス手段を含む、請求項１１に記載の基地局コントローラ。
【請求項１３】
セルラ方式移動無線ネットワークにアクセスするために最初に選択されたセルは、ＧＳＭセルであり、続いてＵＭＴＳセルへの転送が実行される、請求項１２に記載の基地局コントローラ。
【請求項１４】
セルラ方式移動無線ネットワークにアクセスするために最初に選択されたセルは、ＵＭＴＳセルであり、続いてＧＳＭセルへの転送が実行される、請求項１２に記載の基地局コントローラ。
【発明の詳細な説明】
【技術分野】
【０００１】
本発明は、セルラ方式移動無線通信システムの一般的方法、すなわちセルラ方式移動無線通信ネットワーク及びこのネットワークにおける使用を目的とする移動局に関する。
【０００２】
さらに特定すれば、本発明は、移動局が通信のためにこのようなネットワークにアクセスするときのセルの選択に関する。
【背景技術】
【０００３】
ネットワークへのアクセスを目的として移動局自体によってセルの選択を実施することが知られており、移動局において実行される対応するアルゴリズムは、またセル選択アルゴリズムとして知られている。
【０００４】
さらに正確には、ネットワークは、サーバセル内の特定の同報通信制御チャネルに、このようなアルゴリズムを実施するために必要な情報を同報通信し、これらの情報は特に、近隣セルのリストを含み、このリストは、これらの近隣セルまたはサーバセルの内で同報通信制御チャネルにおいて受信される信号レベルがより好ましいのはどれであるかを決定するために、移動局がモニタするためのものである。こうして決定されたセルは、特定の他の判定基準が満たされれば、ネットワークへのアクセスのために選択されたセルを構成するものである。その上に、どのサーバセルも選択されていないときに、移動局にサービスが入ると、移動局は全ての同報通信チャネルを探索して、同じ判定基準に従ってサーバセルを決定する。
【０００５】
特にＧＳＭシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、グローバル移動通信システム）などの、セルラ方式移動無線通信システムをさらに完全に説明するには、例えばＭ．ＭＯＵＬＹとＭ．Ｂ．ＰＡＵＴＨＥＴの「Ｔｈｅ  ＧＳＭ  Ｓｙｓｔｅｍ  ｆｏｒ  Ｍｏｂｉｌｅ  Ｃｏｍｍｕｎｉｃａｔｉｏｎｓ」と題する文献（Ｐａｌａｉｓｅａｕ，Ｆｒａｎｃｅ，１９９２，ＩＳＢＮ：２−９５０７１９０−０７−７）を参照することができる。
【０００６】
本発明は、さらに特定すれば、様々な型のサービスが自由に利用できる様々な型のセルを含むセルラ方式移動無線通信ネットワークにおける、通信のためのネットワークへのアクセスの際のセルの選択に関する。
【０００７】
このようなネットワークの例は、新しいサービス、特に高いビットレートのデータ伝送サービスを漸進的に導入することを目標として、第２世代システムなどのシステム（特に前述のＧＳＭシステム）に対応する既存のインフラストラクチャの中に、第３世代システムなどのシステム（特にＵＭＴＳシステム、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ユニバーサル移動通信システム）に対応する前記のインフラストラクチャへの新しい無線アクセス手段が漸進的に導入される、ネットワークによって構成されている。
【０００８】
したがって、このようなシステムは、前記の新しいサービスが利用可能であるセルまたは資源を含み、この例では、ＵＭＴＳセルまたはＧＳＭ／ＵＭＴＳセル（すなわちＧＳＭ型無線アクセス手段及びＵＭＴＳ型無線アクセス手段に共通の同報通信チャネルを有するセル）である。また、このようなシステムは、前記の新しいサービスが利用不可能であるセルを含み、この例ではＧＳＭセルである。
【０００９】
このようなシステムでは、移動局がネットワークにアクセスする目的である所定の通信のために必要とされるサービスは、ＵＭＴＳセルまたはＧＳＭ／ＵＭＴＳセルを必要とするのに、上述のセル選択アルゴリズムによって選択されたセルがＧＳＭセルの可能性があり、または逆に、必要とされるサービスはＧＳＭセルで十分であるのに、選択されたセルがＵＭＴＳセルまたはＧＳＭ／ＵＭＴＳセルの可能性がある。その結果、このようなネットワークにおける無線資源の割当は、いずれの場合でもユーザが要求するサービスに応じて最適化されない。
【００１０】
このようなネットワークの別の例は、所定のシステム、例えばＧＳＭシステムに対応する既存のインフラストラクチャの中、及び所定の地理的区域の中に、ある特定ユーザグループに提供され、かつこの地理的区域の中でユーザが追加サービスを自由に使うことを可能にする追加無線アクセス手段が導入される、ネットワークである。
【００１１】
このようなシステムでは、上述のセル選択アルゴリズムによって選択されたセルが、特に、上述の追加サービスの利用を許されたユーザが上記の地理的区域の限界にある場合には、上記の追加サービスが利用できないセルであり、この場合にはこれらのサービスのユーザもプロバイダも満たされない、という可能性がやはり存在する。
【００１２】
こうして、様々な型のサービスが自由に利用できる様々な型のセルを含むセルラ方式移動無線通信システムにおいては、ネットワークにアクセスするために選択されたセルが、サービスの点で必要に応じてより良いセルに対応しない、という問題が一般に提起される。
【００１３】
その上、特にＧＳＭネットワークなどのセルラ方式移動無線通信ネットワークにおいては、通信中に、この通信を転送する先の最良のセルを決定するためのセル選択、すなわち「ｈａｎｄｏｖｅｒ、ハンドオーバー」という英語名でも呼ばれる対応する方法を実施することが周知である。その他、ネットワークを通じてこのようなセル選択を、移動局がそのセルに伝送する測定結果に基づいて実施させることも周知である。さらに正確には、選択されたセルは、転送が可能であると確認される先の、すなわちこの通信のために資源が利用可能であると確認される（前記の測定結果に従って一定の好ましい順序に分類された）候補セルと呼ばれるセルリストの第１のセルである。
【００１４】
かつまた、特にＧＳＭネットワークなどのセルラ方式移動無線通信ネットワークにおいては、英語でいう「ｄｉｒｅｃｔｅｄ  ｒｅｔｒｙ、ダイレクテッドリトライ」という概念が知られており、この概念に従って、ネットワークへアクセスするために最初に選択されたセルを後で選択されたより良いセルへ通信転送すること（ハンドオーバー）が知られている。上述の様にセルの選択がこれら二つの場合において異なった方法で行われることを考慮することが必要となり、この結果、この通信転送は異なるセルの選択に至らしめることがある。
【００１５】
さらに、マルチメディア型の様々なサービスが利用可能である様々な型のセルを含むセルラ方式移動無線通信システムであって、実行中の通信を転送する先である最良セルの選択が、候補セルのための測定結果、これらの候補セルにおける資源のアベイラビリティ、及び要求されるサービスの種類に基づいて実施される、というシステムを記載した文献ＷＯ９７／４４９２２を挙げることができる。しかしながら、この文献は、通信のためのネットワークへのアクセス時のセルの選択を論じてはいない。その上に、この文献は、実行中の通信を転送する先である最良セルの選択を移動局が実施できるようにする手段を備えた移動局を記載している。このようなセルの選択が、通信のためにネットワークにアクセスする時のセルの選択のために、移動局において行われた場合には、この選択は、これを行うための移動局とネットワークとの間の多くの信号交換を必要とし、その結果、この交換のための無線資源の消費増大、従ってネットワークにおける全体的干渉レベルの増加になるという不都合性を有する。本発明は、これらの不都合性を回避する目的もある。
【発明の概要】
【発明が解決しようとする課題】
【００１６】
従って、本発明は特に、様々な型のサービスが利用可能である様々な型のセルを含むセルラ方式移動無線通信ネットワークに、移動局がアクセスすることを可能にし、同時にこれを行う場合の上述の様々な不都合性を回避することを目的とする。
【課題を解決するための手段】
【００１７】
従って本発明は、移動局が通信のためにセルラ方式移動無線通信ネットワークにアクセスする際の、セルの選択方法であって、前記ネットワークが、様々な型のサービスが利用可能である様々な型のセルを含み、この方法が、
ネットワークにアクセスするために、前記移動局がセルを選択するステップと、
所定のセル型に対応する、こうして選択されたセルにおいてネットワークにアクセスするステップと、
前記通信のために必要なサービスの型に応じて、この通信を他の型のセルに転送するか否かを決定して、サービスの点でより良いセルを構成するステップと
を含むことを主な特徴とする。
【００１８】
換言すれば、また英語の「ｄｉｒｅｃｔｅｄ  ｒｅｔｒｙ、ダイレクテッドリトライ」の概念を参照すれば、本発明は、このような概念の新しい適用ケースを導入するものと考えることができ、これに従って、ネットワークへのアクセスのために最初に選択されたセルから、サービスの点でより良いセルを構成する他のセルへの、通信の転送（ハンドオーバー）が実施される。
【００１９】
本発明の他の対象は、このような方法の実施を可能にするセルラ方式移動無線通信ネットワークにある（本発明は、この方法の実施を可能にするために移動局の変更を必要としないことが有利である）。
【００２０】
本発明のその他の目的と特徴は、添付の図面を参照して行う下記の実施の形態の説明を読むことによって明らかになろう。
【図面の簡単な説明】
【００２１】
【図１】本発明が適用可能なシステムの一例を示すための線図である。
【図２】本発明による方法の一例の様々なステップを示すための線図である。
【図３】本発明による方法を使用できるようにするための、本発明が適用可能なネットワークにおいて予想される手段の一例を示すための線図である。
【図４】本発明による方法を使用できるようにするための、本発明が適用可能なネットワークにおいて予想される手段の一例を示すための線図である。
【発明を実施するための形態】
【００２２】
セルラ方式移動無線通信システムは、図１に示す様に、本質的に以下のものを含む。
−  ＢＴＳ０、ＢＴＳ１、ＢＴＳ２、ＢＴＳ３、ＢＴＳ４で示されるような一群の基地局（Ｂａｓｅ  Ｔｒａｎｓｃｅｉｖｅｒ  Ｓｔａｔｉｏｎ、送受信基地局）であって、図示された例では各基地局は一つのセル（それぞれＣ０、Ｃ１、Ｃ２、Ｃ３、Ｃ４で示されている）に割り当てられ、無線インタフェースを介してＭＳ０、ＭＳ１、ＭＳ２、ＭＳ３、ＭＳ４のような移動局と連絡する一群の基地局、
−  ＢＳＣ１及びＢＳＣ２で示されるような一群の基地局コントローラ（Ｂａｓｅ  Ｓｔａｔｉｏｎ  Ｃｏｎｔｒｏｌｌｅｒ）であって、各ＢＳＣは無線資源の管理の観点からセルの一副群を制御し、基地局コントローラＢＳＣ１は図示の例ではセルＣ０、Ｃ１、Ｃ２を制御し、基地局コントローラＢＳＣ２はこの例ではセルＣ３、Ｃ４を制御する、一群の基地局コントローラ、及び
−  ＭＳＣとも呼ばれる一群の移動交換センタ（Ｍｏｂｉｌｅ  Ｓｗｉｔｃｈｉｎｇ  Ｃｅｎｔｅｒ）であって、図ではこの内のＭＳＣ１を付けた一つだけが図示され、各ＭＳＣは図示されていない方法で、特にＰＳＴＮ通信ネットワーク（Ｐｕｂｌｉｃ  Ｓｗｉｔｃｈｅｄ  Ｔｅｌｅｐｈｏｎｅ  Ｎｅｔｗｏｒｋ、公衆交換電話ネットワーク）またはＩＳＤＮ（Ｉｎｔｅｇｒａｔｅｄ  Ｓｅｒｖｉｃｅｓ  Ｄｉｇｉｔａｌ  Ｎｅｔｗｏｒｋ、サービス統合デジタルネットワーク）などの外部ネットワークと連絡しており、通信の管理の観点から基地局コントローラの一副群を制御し、移動交換センタＭＳＣ１は図示の例では基地局コントローラＢＳＣ１、ＢＳＣ２を制御する、一群の移動交換センタ。
【００２３】
ＢＳＳ（Ｂａｓｅ  Ｓｔａｔｉｏｎ  Ｓｕｂｓｙｓｔｅｍ、基地局サブシステム）とも呼ばれるＢＴＳ及びＢＳＣによって形成される群は、ネットワークへの無線アクセス手段として前述したものを構成する。
【００２４】
本発明が適用可能である例として、要素ＢＴＳ３、ＢＴＳ４及びＢＳＣ２によって形成される無線アクセス手段は新しい無線アクセス手段を構成し、これらの新しい無線アクセス手段は、ＵＭＴＳシステムに対応し、ＧＳＭシステムに対応する既存のインフラストラクチャに導入され、要素ＢＴＳ０、ＢＴＳ１、ＢＴＳ２及びＢＳＣ１によって形成されるそれ自体の無線アクセス手段を既に含む。従って、Ｃ０、Ｃ１、Ｃ２などのセルは、ＧＳＭセルに対応する第１型のセルを構成し、Ｃ３、Ｃ４などのセルは、ＵＭＴＳセルまたはＧＳＭ／ＵＭＴＳセルに対応する第２型のセルを構成する。その上、考えられる移動局は、これらの異なる無線アクセス手段に対応する無線インタフェースのどちらかにおける通信に適した双モード移動局である。
【００２５】
図２は、本発明による一方法例の様々なステップを示す。
【００２６】
図２には、以下のステップが示されている。
−  ネットワークへのアクセスを目的として、例えば上述のセル選択アルゴリズムによって移動局によりセルを選択するステップ（「セルの選択」と書かれたステップ１）、
−  こうして選択されたセルにおける、所定の型のセルに対応する所定の通信のためのネットワークへアクセスするステップ（「アクセス」と書かれたステップ２）、
−  通信の確立に必要な信号交換ステップ（「信号」と書かれたステップ２２、２３）に加えて、サービスの点でより良いセルを構成する他の型のセルへ、この通信を転送するか否かを決定するステップ（「転送か」と書かれたステップ３）を順番に含む、通信確立段階（「通信確立」と書かれたステップ２１）、
−  こうして選択されたセルにおける通信段階（「通信」と書かれたステップ２４）であって、またはこの通信段階の少なくとも初期段階であって、この通信中に、後で一つまたは複数の転送が実際に実施可能である段階。
【００２７】
ステップ３において転送が決定されない場合には、こうして選択されたセルは、ネットワークにアクセスするために最初に選択されたセルのままである。
【００２８】
ステップ３において転送が決定された場合には、通信を転送すべき他の型のセルを決定するために、下記のステップが実施される。
−  前記他の型の候補セルを決定できるか否を決定するステップ（「候補セルか」と書かれたステップ４）、及び
−  所定の好ましい順で、考えられるこれらの候補セルのいずれかに対する転送が可能であるか否か、すなわちこれが拒否されるセルであるか否かを決定するステップ（「候補セルは拒否されるか」と書かれたステップ５）。
これらのステップは、どの型のセルにも、しかし前記の他の型のセルに適用されないものを除いて、実施中の通信の転送先であるより良いセルを選択するために通常行われるものと同様なものにすることができる。
【００２９】
このような拒否されない一つの候補セルが決定された場合には、このセルへの転送が指令される（「転送」と書かれたステップ６）。
【００３０】
このような候補セルすなわち拒否されないこのような候補セルが見つからない場合には、後で転送を好ましくは所定の時間制限内で試みることができる（「時間か」と書かれたステップ７及び８）。サービスの点でより良いセルへの転送が結局全く不可能である場合には、通信は、ネットワークへのアクセスのために最初に選択されたセルのままである。従ってネットワークは、例えば考えられる場合ここでは混合ＧＳＭ／ＵＭＴＳネットワークの場合には、この通信の間にネットワークの内部におけるユーザの移動あるいは無線及びトラヒック条件の変化の結果、サービスの点でより良いセルへの次の転送が可能であると確認されるまで、より低い品質のサービス、特により低いビットレートのデータ伝送サービスまたは他のあらゆるサービスを提供する。
【００３１】
別の例によれば、候補セルとして決定されたセルをどの型のセルにもすることができ、また転送が試みられる先の候補セルは前記の他の型のセルにすることができることが注目される。
【００３２】
図１に示す例において、セルＣ０、Ｃ１、Ｃ２がＧＳＭセルである場合には、例えばセルＣ３、Ｃ４などのＵＭＴＳセルまたはＧＳＭ／ＵＭＴＳセルにおいて利用可能な例えば高いビットレートのデータ伝送サービスに対応する通信のための、例えばＭＳ０などの移動局によるネットワークへのアクセスは、次の方法すなわち、
−  移動局ＭＳ０によるＧＳＭセル、例えばセルＣ０の選択、
−  こうして選択されたセルＣ０におけるネットワークへのアクセス、及び
−  通信確立段階時に移動局によって伝送される信号データに応じた、ＵＭＴＳセルまたはＧＳＭ／ＵＭＴＳセルへの転送の決定（図示の例では例えばＣ３が問題となる）
によって実施することができる。
【００３３】
図３、４は、本発明による方法を使用するための、それぞれエンティティＭＳＣ及びエンティティＢＳＣにおける、ネットワークにおいて準備される手段の一例を示すための線図である。
【００３４】
図３に示す様に、ネットワークへのアクセス及び通信確立段階の際に、ＭＳＣは移動局ＭＳから、
−  ユーザの識別を可能にする情報ＩＮＦ１と、
−  当該の通信のために必要なサービスの型の識別を可能にする情報ＩＮＦ２と
を受信する。
【００３５】
ＭＳＣはさらに、特にデータベースＨＬＲ（Ｈｏｍｅ  Ｌｏｃａｔｉｏｎ  Ｒｅｇｉｓｔｅｒ、ホームロケーションレジスタ）などのデータベースから、情報ＩＮＦ１に応答して、ユーザが使用を許されているサービス及び場合によってはこのような使用のための地理的制限の識別を可能にする情報ＩＮＦ３を受信する。
【００３６】
図３に示すＭＳＣはさらに、このユーザ及びこの通信のために、サービスの点でより良いセルを構成するセルの型を示す情報ＩＮＦ４を、情報ＩＮＦ２、ＩＮＦ３から決定するためのＭで示す手段を含む。
【００３７】
ここで考えられるＧＳＭ／ＵＭＴＳ混合ネットワークの場合の、既に先に述べた様な例として、サービスの点でより良いこのようなセルは、必要とされるサービスがＵＭＴＳセルまたはＧＳＭ／ＵＭＴＳセルにおいてのみ利用可能な高いビットレートのデータ伝送サービスである場合には、このようなＵＭＴＳセルまたはＧＳＭ／ＵＭＴＳセルにすることができ、または反対の場合には、ＧＳＭセルにすることができる。
【００３８】
図４に示すように、Ｍ’で示す手段が、エンティティＢＳＣに設けられており、
−  一方では、サービスの点でより良いセルへの転送が行われるべきか否かを、
考えられるＢＳＣ（すなわち現サーバセル、すなわちこの場合はネットワークへのアクセスのために選択されたセルを管理するＢＳＣ）によって提供可能な情報ＩＮＦ５によって示される、ネットワークへのアクセスのために選択されるセルの型と、
情報ＩＮＦ４で示されるサービスの点でより良いセルを構成するセルの型とに基づいて決定し、
−  他方では、このような転送を実際に実施しなければならないと決定された場合に、この転送を実施する先の一つまたは複数のセルを、
移動局ＭＳによって提供される測定結果に対応するＩＮＦ６のような情報と、
（いわゆる内部すなわちＢＳＣ内転送の場合において）考えられるＢＳＣの内部における無線資源管理手段によって提供される情報ＩＮＦ７など、または（いわゆる外部すなわちＢＳＣ間転送の場合において）このＢＳＣを管理するＭＳＣによって提供される情報ＩＮＦ８などの、考えられる候補セルにおける資源の利用可能性に関する情報と、
情報ＩＮＦ４などの、サービスの点でより良いセルを構成するセルの型に関する情報とに基づいて選択する。
【００３９】
手段Ｍ’は本質的に、上述の方法に従って動作し、ＩＮＦ４〜ＩＮＦ８のような情報から、サービスの点でより良いセルへの転送を実施すべきか否かを決定し、実施すべきであれば、この転送を行う先のセルを選択する。こうして選択されたセルは、移動局ＭＳへ伝送されるＩＮＦ９のような情報によって示されている。
【００４０】
上述の方法によってシステムを機能させるための手段Ｍ、Ｍ’の特定の実施は、当業者にとっては特に困難なものではなく、詳しい説明は不要である。さらに、エンティティＭＳＣとエンティティＢＳＣの間の様々な機能の配分は、例示として先に考察したものとは異なる。
【００４１】
さらに、ネットワーク内におけるＩＮＦ１〜ＩＮＦ９のような情報の伝送を、このようなネットワークの内部で周知の通信プロトコルに従って実施することができ、これらのプロトコルについてここで説明する必要はない。
【００４２】
上記の例は特に、ユーザによって必要とされるサービスに応じて、ネットワーク内において、無線資源の割当を最適化することを可能にする。
【００４３】
本発明は、この適用例において、ネットワークにアクセスするために最初に選択されたセルがＧＳＭセルであり、次いでＵＭＴＳセルまたはＧＳＭ／ＵＭＴＳセルへの転送が行われるという場合に限定されるものではない。本発明は、ネットワークにアクセスするために最初に選択されたセルがＵＭＴＳセルまたはＧＳＭ／ＵＭＴＳセルであり、次いで（必要なサービスのために許される場合には）ＧＳＭセルへの転送が行われるという場合にも使用可能であり、こうしてネットワーク内における無線資源の割当をさらに最適化することを可能にする。
【００４４】
その上に、上述の様に、本発明はＧＳＭ／ＵＭＴＳ混合ネットワークに対応する前記の適用例に限定されるものではない。
【符号の説明】
【００４５】
ＢＴＳ  基地局
ＢＳＣ  基地局コントローラ
Ｃ  セル
ＨＬＲ  ホームロケーションレジスタ
ＩＮＦ  情報
ＭＳ  移動局
ＭＳＣ  移動交換センタ
Ｍ、Ｍ’  手段
【図１】
0004701298.tif 000002
【図２】
0004701298.tif 000003
【図３】
0004701298.tif 000004
【図４】
0004701298.tif 000005